(57)【要約】      （修正有）【課題】適応制御ループ調整が可能な慣性測定システムを提供する。【解決手段】制御システム１００が、慣性測定ユニット１１０のジャイロスコープ角度測定を可能にする１つ又は複数の制御ループ１３０を動作させるプロセッサ１４０を含み、１つ又は複数の制御ループ１３０のそれぞれは、各制御ループ１３０のそれぞれのために定義された一連の設定点の範囲にわたって動作する。動的ループ調整装置１２０が、環境入力データ１５０を受信して慣性測定ユニット１１０の環境条件を決定する。動的ループ調整装置１２０は、決定された環境条件に基づいて、プロセッサ１４０によって動作される１つ又は複数の制御ループ１３０の少なくとも１つのために設定点の少なくとも１つを変更する。【選択図】図１
2015138034.tif 000002
【特許請求の範囲】
【請求項１】
制御システムであって、
慣性測定ユニットのジャイロスコープ角度測定を可能にする１つ又は複数の制御ループを動作させるプロセッサであって、前記１つ又は複数の制御ループのそれぞれが、前記各制御ループのそれぞれのために定義された一連の設定点の範囲にわたって動作する、前記プロセッサと、
環境入力データを受信して前記慣性測定ユニットの環境条件を決定する動的ループ調整装置であって、決定された環境条件に基づいて、前記プロセッサによって動作される前記１つ又は複数の制御ループの少なくとも１つに対する前記一連の設定点の少なくとも１つを変更する前記動的ループ調整装置とを備える制御システム。
【請求項２】
前記動的ループ調整装置は、
前記決定された環境条件に基づいて前記１つ又は複数の制御ループの少なくとも１つに対する前記一連の設定点の少なくとも１つを変更するための設定点調整コマンドを前記プロセッサに発行する、請求項１に記載の制御システム。
【請求項３】
遠隔データソースから外部データとして慣性測定ユニットに対する環境入力データを受信するインターフェイスを更に備える、請求項１に記載の制御システム。
【請求項４】
前記外部データは、
前記慣性測定ユニットの振動事象、衝撃事象、圧力変化事象、湿度変化事象、又は温度変化事象に関する情報を含む、請求項３に記載の制御システム。
【請求項５】
前記慣性測定ユニットの環境条件を感知する感知回路を更に含む、請求項１に記載の制御システム。
【請求項６】
前記感知回路は、
前記慣性測定ユニット上の加速度センサ、前記慣性測定ユニット上の振動センサ、前記慣性測定ユニット上の温度センサ、及び前記プロセッサの前記１つ又は複数の制御ループを監視するアナログ回路からの出力値の少なくとも１つを含む、請求項５に記載の制御システム。
【請求項７】
前記慣性測定ユニットの角運動を表す変調された光信号を生成する光ファイバジャイロスコープ回路と、
前記光ファイバジャイロスコープ回路からの前記変調された出力信号を前記慣性測定ユニットの前記角運動を表す電気信号に変換する光受信機と、
前記光受信機からの前記電気信号を前記プロセッサのデジタル信号に変換するアナログ／デジタル変換器（Ａ／Ｄ）とをさらに備え、
前記プロセッサが、前記光受信機の電気信号利得を制御する自動利得制御（ＡＧＣ）ループを用い、前記慣性測定ユニットの１つ又は複数の回路における電気的オフセットを制御するオフセット制御ループを用い、且つ前記光ファイバジャイロスコープ回路からの前記変調された光信号の感度情報を追跡する位相変調器スケールファクタループを用いる、請求項１に記載の制御システム。
【請求項８】
前記環境条件の決定されたより高いダイナミクスに基づき、前記オフセット制御ループ又は前記位相変調器スケールファクタループに対して、出力データの変化を遅延させるか又はデータをその最後の状態に保持する、前記プロセッサによって動作される動的補助制御ループを更に含む、請求項７に記載の制御システム。
【請求項９】
変調度が、前記環境条件に基づいて前記プロセッサにより前記位相変調器スケールファクタループにおいて変更される、請求項８に記載の制御システム。
【請求項１０】
前記プロセッサが、デジタル利得係数及びアナログ利得係数に従い、前記環境条件に基づいて、前記自動利得制御ループの利得を調整し、
低動的条件中に、前記アナログ利得係数が増加され、且つ前記デジタル利得係数が低減されて前記Ａ／Ｄの感度を向上させるか、又は高動的条件中に、前記アナログ利得係数が低減され、且つ前記デジタル利得係数が増加されて前記Ａ／Ｄの飽和を軽減する、請求項７に記載の制御システム。
【請求項１１】
前記プロセッサと協働して、前記１つ又は複数の制御ループを監視又は制御する検出アレイを更に含む、請求項７に記載の制御システム。
【請求項１２】
前記慣性測定ユニットにおける１つ又は複数の回路の電気的オフセットを補正するオフセット補正モジュールと、
前記慣性測定ユニットにおける前記１つ又は複数の回路の前記電気的オフセットを検出するオフセット検出モジュールと、
前記位相変調器スケールファクタループにおけるスケールファクタオフセットを検出するスケールファクタ検出モジュールと、
前記光ファイバジャイロスコープ回路の変調速度を制御する速度ループモジュールと、
前記速度ループモジュールからのコマンドに基づいて、変調出力シーケンスを生成する変調モジュールと、
前記変調モジュールからの前記変調出力シーケンスを表すデジタルコマンドを生成する位相変調器モジュールと、
前記光ファイバジャイロスコープ回路の角運動を決定するΔθ集積モジュールと、
前記自動利得制御ループの利得誤差を決定する利得誤差検出モジュールと、を更に備える、請求項１１に記載の制御システム。
【請求項１３】
システムであって、
慣性測定ユニットのジャイロスコープ角度測定を可能にする１つ又は複数の制御ループを動作させるプロセッサであって、前記１つ又は複数の制御ループのそれぞれが、前記各制御ループのそれぞれのために定義された一連の設定点の範囲にわたって動作する、前記プロセッサと、
環境入力データを受信して前記慣性測定ユニットの環境条件を決定する動的ループ調整装置であって、決定された環境条件に基づいて、前記プロセッサによって動作される前記１つ又は複数の制御ループの少なくとも１つのために前記一連の設定点の少なくとも１つを変更する動的ループ調整装置と、
前記慣性測定ユニットの角運動を表す変調された光信号を生成する光ファイバジャイロスコープ回路と、
前記光ファイバジャイロスコープ回路からの前記変調された出力信号を、前記慣性測定ユニットの前記角運動を表す電気信号に変換する光受信機と、
前記光受信機からの前記電気信号を前記プロセッサのデジタル信号に変換するアナログ／デジタル変換器（Ａ／Ｄ）とを備え、
前記プロセッサが、前記光受信機の電気信号利得を制御する自動利得制御（ＡＧＣ）ループを用い、前記慣性測定ユニットの１つ又は複数の回路における電気的オフセットを制御するオフセット制御ループを用い、且つ前記光ファイバジャイロスコープ回路からの前記変調された光信号の感度情報を追跡する位相変調器スケールファクタループを用いる、システム。
【請求項１４】
遠隔データソースから外部データとして前記慣性測定ユニットに対する前記環境入力データを受信するインターフェイスを更に含む、請求項１３に記載のシステム。
【請求項１５】
前記慣性測定ユニットの前記環境条件を感知する感知回路を更に備える、請求項１３に記載のシステム。
【請求項１６】
前記環境条件の決定されたより高いダイナミクスに基づき、前記オフセット制御ループ又は前記位相変調器スケールファクタループに対して、出力データの変化を遅延させるか又はデータをその最後の状態に保持する、前記プロセッサによって動作される動的補助制御ループを更に含む、請求項１３に記載のシステム。
【請求項１７】
前記プロセッサが、デジタル利得係数及びアナログ利得係数に従い、前記環境条件に基づいて、前記自動利得制御ループの利得を調整し、
低動的条件中に、前記アナログ利得係数が増加され、且つ前記デジタル利得係数が低減されて前記Ａ／Ｄの感度を向上させるか、又は高動的条件中に、前記アナログ利得係数が低減され、且つ前記デジタル利得係数が増加されて前記Ａ／Ｄの飽和を軽減させる、請求項１３に記載のシステム。
【請求項１８】
方法であって、
慣性測定ユニット（ＩＭＵ）のジャイロスコープ角度測定を可能にする１つ又は複数の制御ループをプロセッサによって実行することであって、前記１つ又は複数の制御ループのそれぞれが、前記各制御ループのそれぞれのために定義された一連の設定点の範囲にわたって動作すること、
前記慣性測定ユニットの動的条件に関する環境データを前記プロセッサによって受信すること、
受信された環境データに基づいて、前記動的条件が、前記慣性測定ユニットの所定の閾値を超えるかどうかを前記プロセッサによって決定すること、
前記動的条件が前記所定の閾値を超える場合に、前記１つ又は複数の制御ループの少なくとも１つに対する前記一連の設定点の少なくとも１つを前記プロセッサによって調整することを備える、方法。
【請求項１９】
遠隔データソースから前記環境データを前記プロセッサによって受信すること、又は前記慣性測定ユニットに関連するセンサから前記環境データを受信することを更に備える、請求項１８に記載の方法。
【請求項２０】
前記動的条件に基づいて、自動利得制御（ＡＧＣ）ループ、オフセットループ、又は位相変調器スケールファクタループの少なくとも１つを前記プロセッサによって調整することを更に備え、
前記自動利得制御ループの利得が、デジタル利得係数及びアナログ利得係数に従って調整されて、低動的条件中に、前記アナログ利得係数が増加され、且つ前記デジタル利得係数が低減されるか、又は高動的条件中に、前記アナログ利得係数が低減され、且つ前記デジタル利得係数が増加される、請求項１８に記載の方法。
【発明の詳細な説明】
【技術分野】
【０００１】
本開示は、慣性測定ユニット（ＩＭＵ：ｉｎｅｒｔｉａｌ  ｍｅａｓｕｒｅｍｅｎｔ  ｕｎｉｔ）に関し、特に、ＩＭＵの環境条件に基づいて適応制御ループ調整を用いるシステム及び方法に関する。
【背景技術】
【０００２】
慣性測定ユニット（ＩＭＵ）は、典型的には、角運動感知の３つの軸、及び加速度感知の３つの軸を含む。角運動は、ジャイロスコープによって測定され、加速度は、直線加速度計によって測定される。ＩＭＵは、例えば、安定性、飛行誘導、及びナビゲーションを含む様々な用途のために使用される。ＩＭＵに対する要求は、厳しくなる可能性がある。ユニットは、典型的には、静的環境から、高回転速度、高加速度、並びに高レベルの振動及び衝撃を含む極めて動的な環境にわたる環境において動作しながら、非常に小さい量を正確に感知できる必要がある。ＩＭＵ並びに特にジャイロスコープ及び加速度計は、この全環境範囲を通して動作するように典型的には設計される。しかしながら、これは、環境範囲にわたる最適動作に十分には対処できない多くの設計上の妥協を伴う。
【０００３】
単一軸光ファイバジャイロスコープ（ＦＯＧ：ｆｉｂｅｒ  ｏｐｔｉｃ  ｇｙｒｏｓｃｏｐｅ）構成用の典型的なジャイロスコープ制御システムは、例えば、主要な角速度リバランスループ（primary angular rate rebalance loop）と、位相変調器スケールファクタ制御ループ（phase modulator scale factor control loop）、自動利得制御ループ、オフセット制御ループ、及び強度制御ループを含む補助制御ループと、を含むことができる。制御ループの全ては、同時に動作して、角速度センサとしてＦＯＧの適切な動作を保証する。ＦＯＧの機械化は、アナログ及びデジタル要素の両方を含む。特に、ＦＯＧからの光信号は増幅され、且つＡ／Ｄ変換器を介してデジタル形式に変換され、制御ループがデジタル領域において動作できるようにする。或る制御ループパラメータが、最適な動作のために選択される。例えば、アナログ利得は、光学系及びアナログ電子機器に自然に発生する静的ノイズがＡ／Ｄ変換器の最下位ビットを切り換えできるようにするほど十分に高い。これにより、光学系及びアナログ電子機器の分解能の限界を、克服することができる。他方で、これは、Ａ／Ｄ変換器が、その飽和の前に扱うことができる最大信号を制限する。高ダイナミクス（例えば高振動又は衝撃）が存在する場合に、Ａ／Ｄは、飽和し、ジャイロスコープ読み出しにおける誤差につながり得る。また、補助ループは、高動的信号に応答し、補助ループの最適制御点から逸脱する可能性がある。
【発明の概要】
【課題を解決するための手段】
【０００４】
本開示は、慣性測定ユニットにおける角度測定のジャイロスコープ制御システムに関する。一態様において、制御システムは、慣性測定ユニット（ＩＭＵ）のジャイロスコープ角度測定を可能にする１つ又は複数の制御ループを動作させるプロセッサを含む。１つ又は複数の制御ループのそれぞれは、各制御ループのそれぞれのために定義された一連の設定点の範囲にわたって動作する。動的ループ調整装置が、ＩＭＵの環境条件を決定するために環境入力データを受信する。動的ループ調整装置は、決定された環境条件に基づいて、プロセッサによって動作される１つ又は複数の制御ループの少なくとも１つのために一連の設定点の少なくとも１つを変更する。
【０００５】
別の態様において、プロセッサが、慣性測定ユニット（ＩＭＵ）のジャイロスコープ角度測定を可能にする１つ又は複数の制御ループを動作させる。１つ又は複数の制御ループのそれぞれは、各制御ループのそれぞれのために定義された一連の設定点の範囲にわたって動作する。動的ループ調整装置が、環境入力データを受信して、ＩＭＵの環境条件を決定する。動的ループ調整装置は、決定された環境条件に基づいて、プロセッサによって動作される１つ又は複数の制御ループの少なくとも１つに対する一連の設定点の少なくとも１つを変更する。光ファイバジャイロスコープ（ＦＯＧ）回路が、ＩＭＵの角運動を表す変調された光信号を生成する。光受信機が、ＦＯＧからの変調された出力信号をＩＭＵの角運動を表す電気信号に変換する。アナログ／デジタル変換器（Ａ／Ｄ）が、光受信機からの電気信号をプロセッサのデジタル信号に変換する。プロセッサは、自動利得制御（ＡＧＣ：ａｕｔｏｍａｔｉｃ  ｇａｉｎ  ｃｏｎｔｒｏｌ）ループを用いて光受信機の電気信号利得を制御し、オフセット制御ループを用いてＩＭＵの１つ又は複数の回路における電気的オフセットを制御し、且つ位相変調器スケールファクタループを用いてＦＯＧからの変調された光信号の感度情報を追跡する。
【０００６】
更に別の態様において、方法は、慣性測定ユニット（ＩＭＵ）のジャイロスコープ角度測定を可能にする１つ又は複数の制御ループを実行することを含む。１つ又は複数の制御ループのそれぞれは、各制御ループのそれぞれのために定義された一連の設定点の範囲にわたって動作する。方法は、ＩＭＵの動的条件に関する環境データを受信することを含む。これは、受信された環境データに基づいて、動的条件がＩＭＵの所定の閾値を超えるかどうかを決定することを含む。方法は、動的条件が所定の閾値を超える場合に、１つ又は複数の制御ループの少なくとも１つに対する一連の設定点の少なくとも１つを調整することを含む。
【図面の簡単な説明】
【０００７】
【図１】動的ループ調整装置を用いて、環境条件に基づいてシステムにおける１つ又は複数の制御ループの性能を変更する慣性測定ユニット（ＩＭＵ）の単一軸光ファイバジャイロスコープ制御システムの例を示す。
【図２】プロセッサ及び検出アレイを用いて、環境条件に基づいてシステムにおける１つ又は複数の制御ループの性能を変更する単一軸光ファイバジャイロスコープ制御システムの例を示す。
【図３】プロセッサ及び検出アレイを用いて、環境条件に基づいてシステムにおける１つ又は複数の制御ループの性能を変更する単一軸光ファイバジャイロスコープ制御システムの例示的な制御ループ経路を示す。
【図４】単一軸光ファイバジャイロスコープコントローラにおけるデジタル及びアナログコントローラ間の動的利得割り当ての例示的なシステムを示す。
【図５】慣性測定ユニット（ＩＭＵ）の単一軸光ファイバジャイロスコープを制御するための方法の例を示す。
【発明を実施するための形態】
【０００８】
本開示は、環境条件に基づいて、慣性測定ユニット（ＩＭＵ）における１つ又は複数の制御ループを動的に変更するシステム及び方法に関する。衝撃又は振動などの環境条件は、ＩＭＵ上で内部的に感知され、且つ／又は遠隔地からインターフェイスを介して提供される。ＩＭＵは、例えば、自動利得制御（ＡＧＣ）ループ、位相変調器スケール制御ループ、及びオフセット制御ループなどの１つ又は複数の閉ループ構成を動的に適応させることができ、１つ又は複数の閉ループ構成は、ＩＭＵの光ファイバジャイロスコープ（fiber optic gyroscope : ＦＯＧ）を制御するために、且つＩＭＵが動作する環境の知識に基づいて利用される。環境に基づいてＦＯＧの能力を動的に調整することは、その特定の環境においてＦＯＧが経験し得る外乱（例えば、衝撃、振動、温度変化）中に、ＦＯＧが、正確な角速度測定を提供できることを実質的に保証する。
【０００９】
ＦＯＧのＡＧＣ制御ループは、動作中に可変利得増幅器を制御するように用いることができる。可変利得増幅器は、（光検出装置からの）光信号の電気的表現（electrical representation）を受信し、次に、ＡＧＣ制御ループを介してその信号を適宜増幅するように用いることができる。信号の適応後に、信号は、Ａ／Ｄ変換器に供給され、次に、Ａ／Ｄ変換器は、更なる処理のために、その光信号のデジタル表現（digital representation）を生成する。正常な状態（環境外乱が、最低か又は存在しない状況）中に、可変利得増幅器によって提供されるアナログ利得は、ＡＧＣによって公称値に設定することができ、公称値は、Ａ／Ｄ変換器が最高分解能で光信号の電気信号を捕捉できるようにする値である。しかしながら、環境外乱下では、電気信号の利得が低減されない場合に、Ａ／Ｄ変換器は、飽和を経験する可能性がある。Ａ／Ｄ変換器が飽和を経験するのを軽減するために、且つＦＯＧの適切な動作を維持するために、ＡＧＣ制御ループは、（例えば、感知されたか又は遠隔データソースからの）環境外乱に応じて、Ａ／Ｄ変換器が飽和を経験しないことを保証するように可変利得増幅器の利得を動的に低下させる。利得における同等の（比例した）増加をデジタル側で提供して、環境外乱の結果だった低減された利得を補償することができ、デジタル側では、より大きな語長（より多くのビット）は、電気光信号のデジタル表現を収容することができる。Ａ／Ｄ変換器に対する環境外乱中に、ＡＧＣ制御ループは、環境外乱が終わってしまうまで、アナログ及び／又はデジタル利得を微調整してほぼ劣化のない光信号を供給することができる。
【００１０】
位相変調器スケールファクタ制御ループは、ゆっくりと変化する制御ループであるが、ＦＯＧにおける位相変調器の感度を追跡し、且つ位相変調器駆動装置にスケールファクタ値を供給することによって感度の変化を補償するように用いることができる。位相変調器駆動装置は、ＦＯＧによって最適な信号対雑音比（ＳＮＲ：ｓｉｇｎａｌ−ｔｏ−ｎｏｉｓｅ  ｒａｔｉｏ）を達成するアプローチにおいて、スケールファクタ値を利用して光位相及び変調度を制御する。しかしながら、ＦＯＧ動作に対する環境外乱（例えば振動）の影響を最小化するために、位相変調器スケールファクタループは、外乱が治まるまで減速させるか又は開いて（例えば、最後の制御コマンドが保持される）、位相変調器スケール制御ループが光位相及び変調度を変化させないことを保証することができる。
【００１１】
オフセット制御ループは、電子機器における誤差を制御するように利用することができる。正常な動作中に、オフセット制御ループは、どんな誘発されるオフセットに対してもＦＯＧの電子機器を監視し、それに応じてオフセットを補償する。しかしながら、ＦＯＧが、環境外乱を経験している状況において、オフセット制御ループは、外乱が治まるまで開いて、誤ったオフセット補償が導入されないことを保証することができる。ＦＯＧにおける他の制御ループは、環境条件に基づいて同様に適応させることができる。上記のように、ＦＯＧの選択閉ループ構成の動的適応は、ＩＭＵが動作する環境の知識に基づいてＦＯＧが正確な角速度測定を提供できることをほぼ保証する。
【００１２】
図１は、動的ループ調整装置１２０を用いて、環境条件に基づいてシステムにおける１つ又は複数の制御ループ１３０の性能を変更する慣性測定ユニット（ＩＭＵ）１１０の単一軸光ファイバジャイロスコープ制御システム１００の例を示す。制御システム１００は、慣性測定ユニット（ＩＭＵ）１１０のジャイロスコープ角度測定を可能にするために、ループ１〜Ｎ（Ｎは、正の整数である）として示されている制御ループ１３０を動作させるプロセッサ１４０を含む。１つ又は複数の制御ループ１３０のそれぞれは、各制御ループのそれぞれのために定義された一連の設定点の範囲（range of set points）にわたって動作する。本明細書で用いられているように、プロセッサという用語は、単一のプロセッサ、プロセッサの集合、及び／又は例えば図２に関連して以下で示され説明されているようなプロセッサ及びゲートアレイの組み合わせを含むことができる。プロセッサ１４０及び／又はゲートアレイは、１つ又は複数の制御ループ１３０を制御するために、ソフトウェア及び／又はハードウェアコンポーネント（アナログ及び／又はデジタルコントローラを含む）を含むことができる。
【００１３】
幾つかの例において、制御ループ１３０は、プロセッサ１４０によって実行され、別個のゲートアレイによって実行され、且つ／又はプロセッサ及びゲートアレイ間の組み合わせとして実行されても良い。動的ループ調整装置１２０は、感知された環境データ１５０及び／又は外部環境データ１６０として示されている環境入力データを受信して、ＩＭＵ１１０の環境条件を決定する。動的ループ調整装置１２０は、決定された環境条件に基づいて、プロセッサ１４０によって動作される制御ループ１３０の少なくとも１つに対する一連の設定点の少なくとも１つを変更する。一例において、動的ループ調整装置１２０は、設定点調整コマンドをプロセッサ１４０に発行して、決定された環境条件に基づいて、１つ又は複数の制御ループ１３０の少なくとも１つに対する一連の設定点の少なくとも１つを変更する。
【００１４】
示されているように、制御システム１００は、ＩＭＵ１１０の角運動を表す変調された光信号を生成する光ファイバジャイロスコープ（ＦＯＧ）回路１７０を含む。光受信機１８０が、ＦＯＧ回路１７０からの変調された出力信号をＩＭＵ１１０の角運動を表す電気信号に変換する。アナログ／デジタル変換器（Ａ／Ｄ）１９０が、光受信機１８０からの電気信号をプロセッサ１４０のデジタル信号に変換する。幾つかの制御ループ例において、プロセッサ１４０は、自動利得制御（ＡＧＣ）ループを用いて、光受信機１８０の電気信号利得を制御する。別の制御ループ例において、オフセット制御ループが使用されて、ＩＭＵ１１０の１つ又は複数の回路における電気的オフセットを制御してもよい。更に別の例において、位相変調器スケールファクタループが使用されて、ＦＯＧからの変調された光信号の感度情報を追跡してもよい。
【００１５】
インターフェイス（図２を参照）が、遠隔データソースから外部データ１６０としてＩＭＵ１１０に対する環境入力データを受信する。例えば、インターフェイスは、振動又は衝撃事象が、ＩＭＵ１１０上に発生しようとしていた時に関する情報（例えばロケット発射が発生しようとしていた時に関するデータ）を受信しても良い。外部環境データ１６０は、ＩＭＵの振動事象、衝撃事象、圧力変化事象、湿度変化事象、又は温度変化事象に関する情報を含むことができる。外部から供給される環境データ１６０に加えて、ＩＭＵ１１０に搭載された感知回路（図示せず）が、ＩＭＵの環境条件を感知するために使用され得る。感知回路は、ＩＭＵ１１０上の加速度センサ、ＩＭＵ上の振動センサ、ＩＭＵ上の温度センサ、及びプロセッサ１４０の１つ又は複数の制御ループ１３０を監視するアナログ回路（例えばＡ／Ｄ１９０）からの出力値の少なくとも１つを含むことができる。
【００１６】
図２に関連して以下で示され説明されるように、動的補助制御ループは、環境条件における決定されたより高いダイナミクス（dynamics）に基づき、オフセット制御ループ又は位相変調器スケールファクタループに対して、出力データの変化を減速させるか又はデータをその最後の状態に保持するプロセッサ１４０によって動作させることができる。本明細書で用いられるように、より高いダイナミクスという用語は、より高い振動衝撃又は他の環境変化が発生した状態を指す。より低いダイナミクスは、環境条件が安定した場合のＩＭＵ１１０上の静的条件を指す。プロセッサ１４０によるループ調整の特定の一例において、変調度は、環境条件に基づき、プロセッサによって位相変調器スケールファクタループにおいて変更することができる。ＡＧＣ制御ループに関し、プロセッサ１４０は、デジタル利得係数及びアナログ利得係数に従い、環境条件１５０及び／又は１６０に基づいて、ＡＧＣループの利得を調整することができる。例えば、Ａ／Ｄ１９０の感度を向上させるために、より低い動的条件中に、アナログ利得係数は、増加させることができ、デジタル利得係数は、低減することができる。Ａ／Ｄ１９０の飽和を軽減するために、より高い動的条件中に、アナログ利得係数は、低減することができ、デジタル利得係数は、増加させることができる。制御ループ変更のためのトリガリングは、高ダイナミクス又は低ダイナミクスの条件を定義する所定の閾値に基づくことができる。
【００１７】
図２は、プロセッサ２４０及び検出アレイ２１２を用いて、環境条件に基づいてシステムにおける１つ又は複数の制御ループの性能を変更する単一軸光ファイバジャイロスコープ制御システム２００の例を示す。システム２００は、集積光回路２１６と共にジャイロスコープ回路を形成するコイル２１４を含む。集積光回路２１６は、アナログコントローラ２２０から制御されるソース２１８から光を受信する。アナログコントローラ２２０は、ソース２１８への光強度出力を制御し、且つソース２１８の温度を維持するように熱電冷却機（ＴＥＣ：ｔｈｅｒｍｏｅｌｅｃｔｒｉｃ  ｃｏｏｌｅｒ）出力を制御する。アナログコントローラ２２０はまた、変調された光出力信号を集積光回路２１６から受信する光受信機２２４の利得を制御する。光受信機２２４は、集積光回路２１６からの変調された光出力信号を電気信号に変換する第１の光検出器及び増幅器２２８を含む。増幅器２２８からの出力は、ゲート増幅器２３０によって増幅され、ゲート増幅器２３０は、アナログ／デジタル変換器（Ａ／Ｄ）２３４に出力を供給する。アナログコントローラ２２０はまた、光受信機２２４における増幅器２３０の利得を調整する。
【００１８】
Ａ／Ｄ２３４からの出力は、検出アレイ２１２によって受信され、検出アレイ２１２は、本明細書で説明される１つ又は複数の制御ループを監視又は制御するために、プロセッサ２４０と協働する。プロセッサ２４０は、アナログ及びデジタル動的利得割り当てモジュール２４４、動的補助ループ制御モジュール２４６、及び制御論理モジュール２４８を含むことができる。本明細書で用いられているように、モジュールという用語は、ハードウェア及び／又はソフトウエアコンポーネントを含むことができ、これらのコンポーネントはまた、アナログ及び／又はデジタルコンポーネントを含むことができる。アナログ及びデジタル動的利得割り当てモジュール２４４、動的補助ループ制御モジュール２４６、及び制御論理モジュール２４８は、図１に関連して上記で説明された動的ループ調整装置を集団的に実現する。示されているように、制御論理モジュール２４８は、遠隔ネットワークソースから外部環境データを受信する車両インターフェイス２５０から環境データを受信することができる。車両インターフェイス２５０はまた、ＩＭＵ出力データを遠隔地（例えば、遠隔コマンドセンタ）に供給することができる。制御論理モジュール２４８はまた、システム２００の搭載されたセンサから、感知された環境データ２５４を受信することができる。制御論理モジュール２４８によって受信された環境データに基づいて、アナログ及びデジタル動的利得割り当てモジュール２４４、並びに動的補助ループ制御モジュール２４６は、それらのそれぞれの設定点を、環境条件における検出された変化に基づいて動的に変更することができる。
【００１９】
検出アレイ２１２（例えばフィールドプログラマブルゲートアレイ）は、ＩＭＵにおける１つ又は複数の回路の電気的オフセットを補正するオフセット補正モジュール２６０を含むことができる。検出アレイ２１２は、ＩＭＵにおける１つ又は複数の回路の電気的オフセットを検出するオフセット検出モジュール２６４を含むことができる。スケールファクタ検出モジュール２６８が、位相変調器スケールファクタループにおけるスケールファクタオフセットを検出する。速度ループモジュール２７０が、ＦＯＧの変調速度を制御する。変調モジュール２７２が、速度ループモジュール２７０からのコマンドに基づいて、変調出力シーケンスを生成する。位相変調器モジュール２７４が、変調モジュール２７２からの変調出力シーケンスを表すデジタルコマンドを生成する。Δθ集積モジュール２７８が、ＦＯＧの角運動を決定し、利得誤差検出モジュール２８０が、プロセッサ２４０におけるＡＧＣループの利得誤差を決定する。位相変調器２７４からの出力は、デジタル／アナログ変換器（Ｄ／Ａ）２８４に送信され、デジタル／アナログ変換器（Ｄ／Ａ）２８４は、アナログ出力を駆動装置２９０に供給し、駆動装置２９０は、位相変調器駆動信号を集積光回路２１６に供給する。本明細書で説明されるモジュール及び制御機能が、アナログコントローラ２２０、プロセッサ２４０によって、且つ／又は検出アレイ２１２を介して実現され得ることが注目される。
【００２０】
前に言及したように、システム２００は、感知された環境条件又は外部環境条件に基づいて、ジャイロスコープ制御システムの適応動作モードを提供することができる。例えば、静的条件において、アナログ利得は、静的ノイズだけでＡ／Ｄ分解能のランダム化を可能にするように、その正常値においてプロセッサ２４０によって設定することができる。しかしながら、高動的条件下において、アナログ利得は、プロセッサ２４０によって低減し、Ａ／Ｄ２３４が、飽和なしにより大きな動的信号を変換できるようにすることができる。高ダイナミクスによって導入される（静的ノイズに対立するものとしての）より高いノイズは、例えば、Ａ／Ｄ２３４の最下位ビットをランダム化するように働くことができる。ジャイロスコープループの適切な動作を維持するために、より低いアナログ利得は、より大きな語長（より多くのビット）が、例えばプロセッサ２４０、ＦＰＧＡ、及び／又はＡＳＩＣにおいて結果としての信号を収容できるデジタル側の利得における見合った増加によって補償することができる。高動的条件の発生の認識は、車両インターフェイス２５０を介してユーザによって提供することができ、且つ／又は代替として例えば、Ａ／Ｄ信号の振幅並びに／又は角速度及び加速度測定の実時間監視を用いることによって、ＩＭＵによる感知されたデータ２５４として推定することができる。
【００２１】
自動利得制御（ＡＧＣ）は、プロセッサ２４０によって利得関数を調整することができる。アナログ利得の低減が望ましいであろうという決定に基づいて、ＡＧＣコマンドは、（例えば２の累乗だけの）利得低減係数を命じることになる所定の量だけシフトすることができる。次に、Ａ／Ｄ２３４のデジタル出力は、基線（baseline）と同様の正味スケーリング（net scaling）を備えたデジタル信号を回復（restoration）するための係数を掛けることができる。次に、ＡＧＣループは、実質的な劣化なしにジャイロスコープの連続動作を保証するために（アナログ×デジタル）利得積が維持されることを容易にするように、ＡＧＣコマンドを微調整することができる。ユーザ及び／又は内部決定によって示されているように、ユニットが、もはや高ダイナミクスを経験しない場合に、利得は、その初期値に再構成して、より良好な環境にもう一度最適化することができる。図４は、以下で、利得伝達の例示的な動作を示す。
【００２２】
別の例として、補助ＦＯＧループが、ソフトウェア制御下にあり、且つゆっくりした長期の変動を追跡する適所にあるので、補助ＦＯＧループを、高動的条件の場合に、減速し且つ／又はそれらの最後の状態に保持することができる。ここでも、来たるべき高ダイナミクスのユーザ指示又は感知された指示が、利得を低減するか又は開くように補助ループ２４６をトリガするためにも使用され得る。Ａ／Ｄ、ジャイロスコープ、及び加速度データの実時間監視もまた、トリガのために用いることができる。補助ループ２４６は、高速データを用いて比較的低レート（例えば５０Ｈｚ）で更新することができ、従って、ダイナミクスを検出する十分な時間が存在する。追加時間が必要とされる場合に、ループ更新は、更に遅延させることができ、且つ／又は値は、ひとたびダイナミクスが検出された場合、回復のために記録することができる。
【００２３】
追加の例として、変調度は、信号対雑音比（ＳＮＲ）を最適化する値にプリセットできるが、状態に依存して変調値を変更することがまた可能である。例えば、静的状態において最適なＳＮＲを有することが有益な場合に、変調度は、所定の値に増加させることができる。静的ノイズに関係なく信号レベルを最大限にすることが有益な場合に（例えば環境による追加ノイズがあった場合に）、変調度は、その正常値に戻すことができる。
【００２４】
図３は、プロセッサ及び検出アレイを用いて、環境条件に基づいてシステムにおける１つ又は複数の制御ループの性能を変更する単一軸光ファイバジャイロスコープ制御システム３００の例示的な制御ループ経路を示す。制御ループ経路の動作を説明する前に、システム３００の様々なコンポーネントが説明される。制御ループ経路の例示を容易にするために、モジュールラベルの幾つかは、制御ループ経路を観察する際の助けとなるように除去される。上記のシステム２００と同様に、システム３００は、集積光回路３１６と共にジャイロスコープ回路を形成するコイル３１４を含む。集積光回路３１６は、アナログコントローラ３２０から制御されるソース（source）３１８から光を受信する。アナログコントローラ３２０は、ソース３１８への光強度出力を制御し、且つソース３１８の温度を維持するために熱電冷却機（thermoelectric cooler : ＴＥＣ）の出力を制御する。アナログコントローラ３２０はまた、変調された光出力信号を集積光回路３１６から受信する光受信機３２４の利得を制御する。光受信機３２４は、集積光回路３１６からの変調された光出力信号を電気信号に変換する第１の増幅器及び光検出器３２８を含む。増幅器３２８からの出力は、ゲート増幅器３３０によって増幅され、ゲート増幅器３３０は、アナログ／デジタル変換器（Ａ／Ｄ）３３４に出力を供給する。アナログコントローラ３２０はまた、光受信機３２４における増幅器３３０の利得を調整する。
【００２５】
Ａ／Ｄ３３４からの出力は、本明細書で説明される１つ又は複数の制御ループを監視又は制御するために、プロセッサ３４０と協働する検出アレイ３１２によって受信される。プロセッサ３４０は、アナログ及びデジタル動的利得割り当てモジュール３４４、動的補助ループ制御モジュール３４６、及び制御論理モジュール３４８を含むことができる。示されているように、制御論理モジュール３４８は、遠隔ネットワークソースから外部環境データを受信する車両インターフェイス３５０から環境データを受信することができる。車両インターフェイス３５０はまた、ＩＭＵ出力データを遠隔地に供給することができる。制御論理モジュール３４８はまた、システム３００の搭載されたセンサから、感知された環境データ３５４を受信することができる。制御論理モジュール３４８によって受信された環境データに基づいて、アナログ及びデジタル動的利得割り当てモジュール３４４、並びに動的補助ループ制御モジュール３４６は、それらのそれぞれの設定点を、環境条件における検出された変化に基づいて動的に変更することができる。
【００２６】
検出アレイ３１２（例えばフィールドプログラマブルゲートアレイ）は、ＩＭＵにおける１つ又は複数の回路の電気的オフセットを補正するオフセット補正モジュール３６０を含むことができる。検出アレイ３１２は、ＩＭＵにおける１つ又は複数の回路の電気的オフセットを検出するオフセット検出モジュール３６４を含むことができる。スケールファクタ検出モジュール３６８が、位相変調器スケールファクタループにおけるスケールファクタオフセットを検出する。速度ループモジュール３７０が、ＦＯＧの変調速度を制御する。変調モジュール３７２が、速度ループモジュール３７０からのコマンドに基づいて、変調出力シーケンスを生成する。位相変調器モジュール３７４が、変調モジュール３７２からの変調出力シーケンスを表すデジタルコマンドを生成する。Δθ集積モジュール３７８が、ＦＯＧの角運動を決定し、利得誤差検出モジュール３８０が、プロセッサ３４０におけるＡＧＣループの利得誤差を決定する。位相変調器３７４からの出力は、デジタル／アナログ変換器（Ｄ／Ａ）３８４に送信され、デジタル／アナログ変換器（Ｄ／Ａ）３８４は、アナログ出力を駆動装置３９０に供給し、駆動装置３９０は、位相変調器駆動信号を集積光回路３１６に供給する。
【００２７】
Ａ／Ｄ３３４からの出力は、様々な制御ループのデータを導き出すために、検出アレイ内の幾つかの経路及びモジュールを通して処理することができる。一例において、オフセット制御ループ３９２が、オフセット補正モジュール３６０、及び補助制御ループ３４６におけるスイッチング回路３９３を通って流れ、且つシステム３００におけるオフセットを制御するためにオフセット検出回路を通って流れる。別の例において、位相変調器スケールファクタループ３９４が、位相変調器モジュール３７４を制御するために、オフセット制御ループ３６０、スケールファクタ検出モジュール３６８、及び補助制御ループ３４６におけるスイッチング回路３９５を通って流れる。更に別の例において、自動利得制御（ＡＧＣ）ループ３９６が、可変利得増幅器３３０を制御するために、オフセット補正モジュール３６０、利得誤差検出モジュール３８０、アナログ及びデジタル動的利得割り当てモジュール３４４、並びにアナログコントローラ３２０を通って流れる。スイッチング回路３９３及び／又は３９５は、補助動作モジュール３４６内の論理制御スイッチを開くことによって、高動的条件中に、制御出力を最後の状態に保持することができる。代替として、スイッチング回路３９３及び／又は３９５は、高動的条件中にオフセット補正モジュール３６０及び／又は位相変調器モジュール３７４を更新するレートを遅くすることができる。
【００２８】
図４は、単一軸光ファイバジャイロスコープコントローラにおけるデジタル及びアナログコントローラ間の動的利得割り当ての例示的なシステム４００を示す。高動的条件が検出された場合にシステムにおいて利得を変更するコマンドが、４１０に示されている。プロセッサ４２０が、コマンド４１０を受信し、且つデジタル／アナログ利得調整係数４２４及びアナログ利得係数４３０を含む利得コマンド４１４を発行する。デジタル／アナログ利得調整係数４２４は、例えば、アナログ利得が１／Ｋを掛けられ、且つデジタル利得がＫを掛けられる場合のスケールファクタＫによってシフトすることができる。デジタル／アナログ利得調整係数４２４は、Ａ／Ｄ４４０からのデジタル化されたアナログ値もまた処理するデジタル利得モジュール４３４に供給される。デジタル利得モジュール４３４からの出力は、ジャイロスコープ回路４５４を制御するために、Ｄ／Ａ４５０を駆動するジャイロスコープ復調及び制御ループ４４４によって処理される。
【００２９】
デジタル利得モジュール４３４と共に、復調及び制御ループ４４４は、例えばフィールドプログラマブルゲートアレイ（ＦＰＧＡ：ｆｉｅｌｄ−ｐｒｏｇｒａｍｍａｂｌｅ  ｇａｔｅ  ａｒｒａｙ）４６０によって具体化することができる。ＦＰＧＡ４６０からの出力４６４は、ＡＧＣループ４７０を駆動するが、ＡＧＣループ４７０は、Ａ／Ｄ４４０を駆動する可変利得増幅器（ＶＧＡ：ｖａｒｉａｂｌｅ  ｇａｉｎ  ａｍｐｌｉｆｉｅｒ）４８０を制御するために、結合器４７４を介してアナログ利得４３０と組み合わされる。ジャイロスコープ回路４５４からの出力は、検出器４８４で始まる内側アナログループを駆動し、検出器４８４は、固定利得増幅器４９０を駆動し、今度は固定利得増幅器４９０が、ＶＧＡ４８０を駆動する。環境条件が変化すると共に、アナログ及びデジタル利得は、プロセッサ４２０によって利得コマンド４１４において計算される係数Ｋだけ、（例えば、感知されたか又は外部的に供給された）環境条件に従って、スケーリングことができる。前に言及したように、本明細書で説明される様々なモジュール及びコンポーネントは、プロセッサ及び／又はゲートアレイによって実現可能であり、またアナログ及び／又はデジタルの処理及び／又は制御素子を含むことができる。
【００３０】
上記で説明された前述の構造及び機能的特徴を考慮すると、本発明の様々な態様に従う方法論が、図５に関連して一層良く理解されよう。説明の簡略化のために、方法論は、連続的に実行されるように示され説明されるが、幾つかの態様が、本発明に従って、異なる順序で且つ／又は本明細書で示され説明される態様とは別の態様と同時に行われ得るように、本発明が、示された順序によって限定されないことが、理解され認識されるべきである。更に、全ての示されている特徴が、本発明の態様に従って方法論を実施するように要求され得るわけではない。図５に示されている方法の様々な動作は、本明細書で説明されている様々な動作を実行するために、実行可能命令を伴って構成されたプロセッサ、コンピュータ、及び／又はコントローラを介してなど、自動的に実行することができる。更に、ディスクリート回路制御実装形態が、ディスクリート及び集積回路処理要素の両方を含むハイブリッド制御に加えて、可能である。
【００３１】
図５は、慣性測定ユニット（ＩＭＵ）の単一軸光ファイバジャイロスコープを制御するための方法５００の例を示す。５１０において、方法５００は、（例えば、図１のプロセッサ１４０を介して）慣性測定ユニット（ＩＭＵ）のジャイロスコープ角度測定を可能にする１つ又は複数の制御ループを実行することを含む。１つ又は複数の制御ループのそれぞれは、各制御ループのそれぞれのために定義された一連の設定点の範囲にわたって動作する。５２０において、方法５００は、（例えば、図２のインターフェイス２５０又は感知されたデータ２５４を介して）ＩＭＵの動的条件に関する環境データを受信することを含む。５３０において、方法５００は、（例えば、図１のプロセッサ１４０を介し）、受信された環境データに基づいて、動的条件がＩＭＵの所定の閾値を超えるかどうかを決定することを含む。５４０において、所定の閾値が超過されない場合に、方法は、５１０に戻って、１つ又は複数の制御ループを制御する。５４０において、所定の閾値が超過された場合に、方法５００は、５５０に進む。５５０において、方法５００は、動的条件が所定の閾値を超える場合に、１つ又は複数の制御ループの少なくとも１つに対する一連の設定点の少なくとも１つを調整する。
【００３２】
示されてはいないが、方法５００はまた、遠隔データソースから環境データを受信すること、又はＩＭＵに関連するセンサから環境データを受信することを含むことができる。方法５００はまた、動的条件に基づいて、自動利得制御（ＡＧＣ）ループ、オフセットループ、又は位相変調器スケールファクタループの少なくとも１つを調整することを含むことができ、その場合に、ＡＧＣループの利得は、デジタル利得係数及びアナログ利得係数に従って調整され、低動的条件中にアナログ利得係数が増加され、且つデジタル利得係数が低減されるか、又は高動的条件中にアナログ利得係数が低減され、且つデジタル利得係数が増加される。
【００３３】
上記で説明されたものは、例である。もちろん、コンポーネント又は方法論の全ての考えられる組み合わせを説明することは不可能であるが、しかし当業者は、多くの更なる組み合わせ及び置き換えが可能であることを理解されよう。従って、本開示は、添付の特許請求の範囲を含み、本出願の範囲内に入る全てのかかる変更形態、修正形態及び変形形態を包含するように意図されている。本明細書で用いられているように、用語「含む」は、含むが、しかしそれには限定されないことを意味する。用語「〜に基づいて」は、少なくとも一部分は基づくことを意味する。更に、本開示又は特許請求の範囲が、「第１の」若しくは「別の」要素、又はその均等物を挙げる場合に、それは、１つの又は１を超えるかかる要素を含むが、２以上のかかる要素を要求することも排除することもないと解釈されるべきである。
【図１】
2015138034.tif 000003
【図２】
2015138034.tif 000004
【図３】
2015138034.tif 000005
【図４】
2015138034.tif 000006
【図５】
2015138034.tif 000007
【外国語明細書】
2015138034000001.pdf